(57)【要約】【課題】表示される画像の画質を最適化する。【解決手段】画像処理エンジン（Ａ−ｃｈ）１６、画像処理エンジン（Ｂ−ｃｈ）１７は、画像信号のデジタル処理を行うプロセッサであり、それぞれが独立した構成であり、独立に各種の処理を行う。従って、この画像信号は各々の画像処理エンジン内で独立に調整され、その後、オーバーレイ装置２０で合成されて１つの画像に対応する画像信号として出力される。メモリ（Ａ−ｃｈ）１８、メモリ（Ｂ−ｃｈ）１９がそれぞれ画像処理エンジン（Ａ−ｃｈ）１６、画像処理エンジン（Ｂ−ｃｈ）１７に接続されている。調整モードにおいては、上記の２つの画像処理エンジンで処理された独立の画像が同時にＦＰＤ２２で表示される。ここで、表示されるのは静止画像ではなく、動画像であるため、Ｉ／Ｐ変換、３次元ＹＣ分離処理、ＤＮＲ処理、超解像処理等の調整も容易に行うことができる。【選択図】図１
2010124309.tif 000002
【特許請求の範囲】
【請求項１】
入力された画像信号を処理して動画像を表示させる画像表示装置であって、
上記画像信号がそれぞれ入力され、動画像を出力する複数の画像処理エンジンと、
該複数の画像処理エンジンから出力された複数の動画像を同時に表示する表示部とを具備し、
前記複数の画像処理エンジンのうち少なくとも１つは、前記動画像の調整機能を具備することを特徴とする画像表示装置。
【請求項２】
前記複数の画像処理エンジンが出力した画像信号による画像を前記表示部で重畳させて表示させるオーバーレイ部を具備し、
前記複数の画像処理エンジンは、それぞれ、前記入力された画像信号に応じた画像を一部に含む画像の画像信号を出力することを特徴とする請求項１に記載の画像表示装置。
【請求項３】
前記複数の画像処理エンジンが出力する画像信号に対応する画像において、前記入力された画像信号に応じた画像の占める位置及び大きさが利用者により設定できる構成とされることを特徴とする請求項２に記載の画像表示装置。
【請求項４】
前記複数の画像処理エンジンにそれぞれ接続され、前記画像信号を記憶する複数のメモリを具備することを特徴とする請求項１から請求項３までのいずれか１項に記載の画像表示装置。
【請求項５】
前記表示部において、前記複数の画像処理エンジンで処理された動画像における異なる時刻に対応した画像が同時に表示されることを特徴とする請求項４に記載の画像表示装置。
【請求項６】
前記調整機能は、１つの軸を時間軸とした３次元画像処理を行うことを特徴とする請求項１から請求項５までのいずれか１項に記載の画像表示装置。
【請求項７】
前記調整機能は、Ｉ／Ｐ（インタレース／プログレッシブ）変換、３次元ＹＣ分離処理、ＤＮＲ（デジタルノイズリダクション）処理、ＭＮＲ（モスキートノイズリダクション）処理、ＢＮＲ（ブロックノイズリダクション）処理、超解像処理のうちの少なくとも１つの調整を行うことを特徴とする請求項６に記載の画像表示装置。
【請求項８】
前記調整機能は、前記動画像における輝度（ブライトネス）、コントラスト、色度、色相、ＲＧＢバランス、色温度、γカーブのうちの少なくとも１つの調整を行うことを特徴とする請求項１から請求項７までのいずれか１項に記載の画像表示装置。
【請求項９】
前記画像信号は、映像再生装置から入力されることを特徴とする請求項１から請求項８までのいずれか１項に記載の画像表示装置。
【請求項１０】
前記表示部において、前記複数の画像処理エンジンで処理された動画像が同時に前記表示部で表示される際に、前記調整機能におけるパラメータの値を表示する調整用画像が重畳して表示されることを特徴とする請求項１から請求項９までのいずれか１項に記載の画像表示装置。
【請求項１１】
前記表示部において、前記調整機能において行われる処理のメニュー画面が重畳して表示されることを特徴とする請求項１から請求項１０までのいずれか１項に記載の画像表示装置。
【請求項１２】
動画像を表示するために、入力された画像信号を調整する画像調整方法であって、
同一の画像信号を独立した複数の画像処理エンジンに入力させ、出力された複数の画像を同一画面で同時に表示する表示工程と、
該複数の画像処理エンジンのうちの少なくとも１つにおいて、画像の調整処理を利用者に行わせ、該調整処理後の画像を含む前記複数の画像を同一画面で同時に再表示する調整工程と、
を具備することを特徴とする画像調整方法。
【請求項１３】
前記表示工程及び調整工程において、
前記複数の画像処理エンジンは、それぞれ、前記入力された画像信号に応じた画像を一部に含む画像の画像信号を出力し、該画像信号による画像を重畳させて表示することを特徴とする請求項１２に記載の画像調整方法。
【請求項１４】
前記複数の画像処理エンジンが出力する画像信号に対応する画像において、前記入力された画像信号に応じた画像の占める位置及び大きさを利用者により設定させることを特徴とする請求項１３に記載の画像調整方法。
【請求項１５】
前記利用者による設定がリモコン送信機の操作キーを用いて行われることを特徴とする請求項１４に記載の画像調整方法。
【請求項１６】
前記画像処理エンジンは、前記入力された画像信号を記憶させ、記憶された画像信号に基づいた画像を出力することを特徴とする請求項１２から請求項１５までのいずれか１項に記載の画像調整方法。
【請求項１７】
前記表示工程及び前記調整工程において、前記複数の画像処理エンジンで処理された動画像における異なる時刻に対応した画像を同時に表示することを特徴とする請求項１６に記載の画像調整方法。
【請求項１８】
前記調整処理において、１つの軸を時間軸とした３次元画像処理を行うことを特徴とする請求項１２から請求項１７までのいずれか１項に記載の画像調整方法。
【請求項１９】
前記調整処理において、Ｉ／Ｐ（インタレース／プログレッシブ）変換、３次元ＹＣ分離処理、ＤＮＲ（デジタルノイズリダクション）処理、ＭＮＲ（モスキートノイズリダクション）処理、ＢＮＲ（ブロックノイズリダクション）処理、超解像処理のうちの少なくとも１つの調整を行うことを特徴とする請求項１８に記載の画像調整方法。
【請求項２０】
前記調整処理において、前記動画像における輝度（ブライトネス）、コントラスト、色度、色相、ＲＧＢバランス、色温度、γカーブのうちの少なくとも１つの調整を行うことを特徴とする請求項１２から請求項１９までのいずれか１項に記載の画像調整方法。
【請求項２１】
前記調整工程において、前記複数の画像と共に、前記調整処理におけるパラメータの値を表示する調整用画像を重畳して表示することを特徴とする請求項１２から請求項２０までのいずれか１項に記載の画像調整方法。
【請求項２２】
前記調整工程において、前記調整機能において行われる処理のメニュー画面を重畳して表示することを特徴とする請求項１２から請求項２１までのいずれか１項に記載の画像調整方法。
【請求項２３】
前記調整工程において、前記入力された画像信号による１つの画像を形成するように、前記複数の画像を隙間無く隣接して表示することを特徴とする請求項１２から請求項２２までのいずれか１項に記載の画像調整方法。
【請求項２４】
前記調整工程において、前記複数の画像のうちの少なくとも１つにおける部分的拡大画像を表示することを特徴とする請求項１２から請求項２２までのいずれか１項に記載の画像調整方法。
【請求項２５】
前記調整工程において、前記複数の画像のうちの少なくとも１つを静止画として表示することを特徴とする請求項１２から請求項２４までのいずれか１項に記載の画像調整方法。
【発明の詳細な説明】
【技術分野】
【０００１】
本発明は、画質の調整を適切に行うことができる画像調整方法及びその機能を備えた画像表示装置に関する。
【背景技術】
【０００２】
液晶ディスプレイ等の画像表示装置においては、表示される画像における画質の微調整を利用者が行うことによって画像を最適化する作業が行われ、この作業を容易にするための各種の技術が報告されている。この微調整の内容としては、画面の輝度、コントラスト、色調や、ノイズ低減処理等における各種パラメータの設定がある。
【０００３】
この微調整は、調整後の画像を利用者が肉眼で確認して行われるが、実際にはその差異は微妙な場合が多い。従って、例えば、調整前の画像と調整後の画像を同一画面に表示させ、利用者がこれらを対比しやすい形態としてこの作業を行わせるという方法が有効である。このため、特許文献１には、調整されるパラメータの複数の値に応じた画像をそれぞれ作成し、この複数の画像とデフォールトの画像とを同一画面中で同時に表示する画像表示装置が記載されている。
【０００４】
また、特許文献２には、同様の調整を行った画像を同一画面で表示させるに際し、ある画像の一部分を取り出してその調整前の画像と調整後の画像とを並べて表示させたり、調整前の画像の一部分と調整後の画像の他の一部分とを１つの画像を形成するように配置して表示する技術が記載されている。
【０００５】
特許文献３には、テレビジョン受像機において、調整前の画像と、調整後の画像とを同時に表示し、かつ電子番組情報に応じた調整パラメータの推奨値も同時に表示する技術が記載されている。
【０００６】
こうした技術を用いて、画像における画質の調整を利用者が容易に行うことができた。
【０００７】
【特許文献１】特開２００２−２１８３５０号公報
【特許文献２】特開２００５−２２８２９５号公報
【特許文献３】特開２００６−１３６１８号公報
【発明の開示】
【発明が解決しようとする課題】
【０００８】
上記のどの技術においても、比較される画像は静止画像同士である。しかしながら、例えば、Ｉ／Ｐ（インタレース／プログレッシブ）変換、３次元ＹＣ分離処理、ＮＲ（ノイズリダクション）処理等においては、動画像データが用いられる。従って、この調整においては、動画像同士で比較することが必要であり、静止画像同士の比較を行っても、これらの最適な調整は不可能である。また、前記の通り、この場合においても、その差異は人間の感覚においては微妙であり、調整前後の画像を比較することが必要であるのに対し、上記の技術ではこれは不可能であった。
【０００９】
すなわち、従来の技術においては、表示される画像の画質を最適化することは困難であった。
【００１０】
本発明は、斯かる問題点に鑑みてなされたものであり、上記問題点を解決する発明を提供することを目的とする。
【課題を解決するための手段】
【００１１】
本発明は、上記課題を解決すべく、以下に掲げる構成とした。
本発明の画像表示装置は、入力された画像信号を処理して動画像を表示させる画像表示装置であって、上記画像信号がそれぞれ入力され、動画像を出力する複数の画像処理エンジンと、該複数の画像処理エンジンから出力された複数の動画像を同時に表示する表示部とを具備し、前記複数の画像処理エンジンのうち少なくとも１つは、前記動画像の調整機能を具備することを特徴とする。
本発明の画像表示装置は、前記複数の画像処理エンジンが出力した画像信号による画像を前記表示部で重畳させて表示させるオーバーレイ部を具備し、前記複数の画像処理エンジンは、それぞれ、前記入力された画像信号に応じた画像を一部に含む画像の画像信号を出力することを特徴とする。
本発明の画像表示装置は、前記複数の画像処理エンジンが出力する画像信号に対応する画像において、前記入力された画像信号に応じた画像の占める位置及び大きさが利用者により設定できる構成とされることを特徴とする。
本発明の画像表示装置は、前記複数の画像処理エンジンにそれぞれ接続され、前記画像信号を記憶する複数のメモリを具備することを特徴とする。
本発明の画像表示装置は、前記表示部において、前記複数の画像処理エンジンで処理された動画像における異なる時刻に対応した画像が同時に表示されることを特徴とする。
本発明の画像表示装置において、前記調整機能は、１つの軸を時間軸とした３次元画像処理を行うことを特徴とする。
本発明の画像表示装置において、前記調整機能は、Ｉ／Ｐ（インタレース／プログレッシブ）変換、３次元ＹＣ分離処理、ＤＮＲ（デジタルノイズリダクション）処理、ＭＮＲ（モスキートノイズリダクション）処理、ＢＮＲ（ブロックノイズリダクション）処理、超解像処理のうちの少なくとも１つの調整を行うことを特徴とする。
本発明の画像表示装置において、前記調整機能は、前記動画像における輝度（ブライトネス）、コントラスト、色度、色相、ＲＧＢバランス、色温度、γカーブのうちの少なくとも１つの調整を行うことを特徴とする。
本発明の画像表示装置において、前記画像信号は、映像再生装置から入力されることを特徴とする。
本発明の画像表示装置は、前記表示部において、前記複数の画像処理エンジンで処理された動画像が同時に前記表示部で表示される際に、前記調整機能におけるパラメータの値を表示する調整用画像が重畳して表示されることを特徴とする。
本発明の画像表示装置は、前記表示部において、前記調整機能において行われる処理のメニュー画面が重畳して表示されることを特徴とする。
本発明の画像調整方法は、動画像を表示するために、入力された画像信号を調整する画像調整方法であって、同一の画像信号を独立した複数の画像処理エンジンに入力させ、出力された複数の画像を同一画面で同時に表示する表示工程と、該複数の画像処理エンジンのうちの少なくとも１つにおいて、画像の調整処理を利用者に行わせ、該調整処理後の画像を含む前記複数の画像を同一画面で同時に再表示する調整工程と、を具備することを特徴とする。
本発明の画像調整方法は、前記表示工程及び調整工程において、前記複数の画像処理エンジンは、それぞれ、前記入力された画像信号に応じた画像を一部に含む画像の画像信号を出力し、該画像信号による画像を重畳させて表示することを特徴とする。
本発明の画像調整方法は、前記複数の画像処理エンジンが出力する画像信号に対応する画像において、前記入力された画像信号に応じた画像の占める位置及び大きさを利用者により設定させることを特徴とする。
本発明の画像調整方法は、前記利用者による設定がリモコン送信機の操作キーを用いて行われることを特徴とする。
本発明の画像調整方法において、前記画像処理エンジンは、前記入力された画像信号を記憶させ、記憶された画像信号に基づいた画像を出力することを特徴とする。
本発明の画像調整方法は、前記表示工程及び前記調整工程において、前記複数の画像処理エンジンで処理された動画像における異なる時刻に対応した画像を同時に表示することを特徴とする。
本発明の画像調整方法は、前記調整処理において、１つの軸を時間軸とした３次元画像処理を行うことを特徴とする。
本発明の画像調整方法は、前記調整処理において、Ｉ／Ｐ（インタレース／プログレッシブ）変換、３次元ＹＣ分離処理、ＤＮＲ（デジタルノイズリダクション）処理、ＭＮＲ（モスキートノイズリダクション）処理、ＢＮＲ（ブロックノイズリダクション）処理、超解像処理のうちの少なくとも１つの調整を行うことを特徴とする。
本発明の画像調整方法は、前記調整処理において、前記動画像における輝度（ブライトネス）、コントラスト、色度、色相、ＲＧＢバランス、色温度、γカーブのうちの少なくとも１つの調整を行うことを特徴とする。
本発明の画像調整方法は、前記調整工程において、前記複数の画像と共に、前記調整処理におけるパラメータの値を表示する調整用画像を重畳して表示することを特徴とする。
本発明の画像調整方法は、前記調整工程において、前記調整機能において行われる処理のメニュー画面を重畳して表示することを特徴とする。
本発明の画像調整方法は、前記調整工程において、前記入力された画像信号による１つの画像を形成するように、前記複数の画像を隙間無く隣接して表示することを特徴とする。
本発明の画像調整方法は、前記調整工程において、前記複数の画像のうちの少なくとも１つにおける部分的拡大画像を表示することを特徴とする。
本発明の画像調整方法は、前記調整工程において、前記複数の画像のうちの少なくとも１つを静止画として表示することを特徴とする。
【発明の効果】
【００１２】
本発明は以上のように構成されているので、表示される画像の画質を最適化することができる。
【発明を実施するための最良の形態】
【００１３】
以下、本発明を実施するための最良の形態となる画像表示装置について説明する。この画像表示装置１０においては、入力信号として各種の画像信号が用いられる。このため、アナログの画像信号をデジタル信号に変換する画像信号用Ａ／Ｄコンバータ１１、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）信号やＤＶＩ（Ｄｉｇｉｔａｌ  Ｖｉｓｕａｌ  Ｉｎｔｅｒｆａｃｅ）信号入力用のＨＤＭＩ／ＤＶＩ信号用レシーバ１２、ビデオ信号をデジタル信号用に変換するビデオ信号デコーダ１３、テレビジョン受像機等のチューナ１４が入力用インターフェースとして設けられている。これらから出力された信号は入力マルチプレクサ１５に入力され、同一の画像信号が２系統で出力される。この２系統とは、それぞれ画像処理エンジン（Ａ−ｃｈ）１６と画像処理エンジン（Ｂ−ｃｈ）１７である。すなわち、この画像表示装置１０は、２つの独立した画像処理エンジンを具備する。なお、メモリ（Ａ−ｃｈ）１８、メモリ（Ｂ−ｃｈ）１９がそれぞれ画像処理エンジン（Ａ−ｃｈ）１６、画像処理エンジン（Ｂ−ｃｈ）１７に接続されており、これらにおける画像信号を記憶することができる。
【００１４】
画像処理エンジン（Ａ−ｃｈ）１６、画像処理エンジン（Ｂ−ｃｈ）１７は、画像信号のデジタル処理を行うプロセッサであり、それぞれが独立した構成であり、独立に各種の処理を行う。従って、この画像信号は各々の画像処理エンジン内で独立に調整され、その後、オーバーレイ装置（オーバーレイ部）２０で合成されて１つの画像に対応する画像信号として出力される。また、ここではメニュー画面等の他の画像もＯＳＤ（Ｏｎ  Ｓｃｒｅｅｎ  Ｄｉｓｐｌａｙ）描画ブロック２１で作成され、この画像に重畳された形態の画像となる画像信号が出力される。
【００１５】
この画像信号による画像がＦＰＤ（Ｆｌａｔ  Ｐａｎｅｌ  Ｄｉｓｐｌａｙ）２２で表示される。このため、この画像信号は出力フォーマッタ２３で調整されてからパネルドライバ２４に入力される。これによって、ＦＰＤ２２が動作し、画像となって出力される。また、上記の構成要素の他に、この画像表示装置１０は、これらの全ての構成要素を制御する制御部２５と、この制御に必要な情報を記憶するメモリ（制御用）２６とを具備する。なお、図１においては、制御部２５と上記の構成要素との接続の記載は省略されている。また、制御部２５には、利用者がもつリモコン送信機からの信号を受信してその信号を制御部２５に入力するリモコン受信部２７も設けられている。
【００１６】
ここで、画像処理エンジン（Ａ−ｃｈ）１６と画像処理エンジン（Ｂ−ｃｈ）１７が出力する画像信号における画像について説明する。最終的にＦＰＤ２２で表示される画像の画素は１９２０×１０８０であるとする。図２（ａ）に示されるように、画像処理エンジン（Ａ−ｃｈ）１６が出力する画像は、この大きさの画像の左半分にのみ実際の画像２０１が表示され、右半分はブランク領域２０２となっている画像である。画像処理エンジン（Ｂ−ｃｈ）１７が出力する画像は、図２（ｂ）に示されるように、これとは逆に、右半分にのみ実際の画像２０３が表示され、左半分がブランク領域２０４となっている。従って、オーバーレイ装置２０で合成後の画像は、図２（ｃ）に示されるように、画像２０１が左側に、画像２０３が右側に表示された形態となる。すなわち、各画像処理エンジンは、それぞれ、入力された画像信号に応じた画像を一部に含む画像の画像信号を出力し、オーバーレイ装置２０は、各画像処理エンジンが出力した画像信号による画像をＦＰＤ２２で重畳させて表示させる。
【００１７】
ここで、画像処理エンジン（Ａ−ｃｈ）１６と画像処理エンジン（Ｂ−ｃｈ）１７は、それぞれが独立に動画像の調整機能をもつ。ここで行われる調整機能とは、一般的にカラー動画像に対して知られる画質調整機能として輝度（ブライトネス）、コントラスト、色度、色相、ＲＧＢバランス、色温度、γカーブの調整や、Ｉ／Ｐ（インタレース／プログレッシブ）変換、３次元ＹＣ分離処理、ＤＮＲ（デジタルノイズリダクション）処理、ＭＮＲ（モスキートノイズリダクション）処理、ＢＮＲ（ブロックノイズリダクション）処理、超解像処理（画像を拡大した場合のノイズを低減して擬似的に解像度を向上させるように見せる技術）におけるフィルターの調整がある。また、画像の切り出し、拡大、縮小等の機能も、それぞれが独立に行うことができる。
【００１８】
ここで、輝度（ブライトネス）、コントラスト、色度、色相、ＲＧＢバランス、色温度、γカーブ等の調整は、これらが出力する画像が静止画である場合と動画である場合のいずれにおいても同様に行われる。
【００１９】
これに対して、例えばＩ／Ｐ変換、３次元ＹＣ分離処理、ＤＮＲ処理、超解像処理等は動画像において用いられる処理である。すなわち、これらの処理は、２次元の画像情報ではなく、一軸を時間軸とした３次元画像処理として行われる。
【００２０】
ここで、Ｉ／Ｐ変換処理が適正に行われないと、残像やコーミング（櫛状の模様）が出ることがある。ＤＮＲ処理、ＭＮＲ処理、ＢＮＲ処理等のノイズ低減処理が適正に行われないと、解像度が劣化し、ぼやけた映像となることがある。３次元ＹＣ分離処理が適正に行われないと、残像感の大きな画像となる。超解像処理が適正に行われないと、特に拡大時の画像が劣化する。従って、これらの処理を最適化することが必要である。
【００２１】
ここでは、入力マルチプレクサ１５から出力される画像信号における画像が図３に示す画像３１である場合について、この画像表示装置１０の動作について説明する。この画像表示装置１０は、動画像の調整パラメータを調整するための調整モードと、フルスクリーンで動画像を表示させる通常モードの２つのモードで動作する。
【００２２】
調整モードにおいては、上記の２つの画像処理エンジンで処理された独立の画像が同時にＦＰＤ２２で表示される。以下では、この際の動作について説明する。
【００２３】
図４（ａ）は、画像処理エンジン（Ａ−ｃｈ）１６、画像処理エンジン（Ｂ−ｃｈ）１７がこの画像信号をそれぞれ横方向に５０％縮小して最終的にＦＰＤ２２で表示される画像について示す。ここで、調整モードにおいては、前記の通り、左側には画像処理エンジン（Ａ−ｃｈ）１６で処理された画像４１が、右側には画像処理エンジン（Ｂ−ｃｈ）１７で処理された画像４２が並んで表示される。ただし、画像処理エンジン（Ａ−ｃｈ）１６においては前記の各種調整におけるパラメータは全て初期値となっている。これに対して、画像処理エンジン（Ｂ−ｃｈ）１７においては前記の各種調整パラメータが利用者によって変更されている。この際の調整のための画像が図４における調整用画像４３であり、ここでは各パラメータの値がバーで示されており、この値は利用者がリモコン送信機等を用いた操作によって自由に設定できる。この再設定された値に応じた値が新たにバー表示される。
【００２４】
従って、利用者は、同時に表示された画像４１と画像４２とを直接見比べ、かつ調整用画像４３を見て、画像が所望のものとなるように、調整をすることができる。ここで、表示されるのは静止画像ではなく、動画像であるため、Ｉ／Ｐ変換、３次元ＹＣ分離処理、ＤＮＲ処理、超解像処理等の調整も容易に行うことができる。また、独立した２つの画像処理エンジンを用いているため、それぞれの画像を縮小して表示することも容易である。また、図４（ａ）のように、画像４１と４２とを隙間無く並べて表示させることによって、画像同士を比較することも容易である。その後、通常モードにおいては、画像処理エンジン（Ｂ−ｃｈ）１７によって調整後の画像が図４（ｂ）に示されるようにフルスクリーンでＦＰＤ２２に表示される。
【００２５】
なお、上記の形態において、図４（ａ）における画像４１、４２は、利用者の嗜好に応じて、静止画又は動画として設定できる。ただし、前記のＩ／Ｐ変換等の調整を行う場合には４１、４２共に動画とすることが好ましい。
【００２６】
調整モードにおいて表示される２つの画像の表示形態としては、この他に様々なものが可能である。図５は、この一例である。この例では、画像処理エンジン（Ａ−ｃｈ）１６は図３の画像の左半分だけを取り出し、画像処理エンジン（Ｂ−ｃｈ）１７は図３の画像の右半分だけを取り出し、画像処理エンジン（Ｂ−ｃｈ）１７においてのみ調整パラメータが変更されている。すなわち、この場合には、入力された画像信号による１つの画像を形成するように、２つの画像が隙間無く隣接して表示される。この結果、ＦＰＤ２２においては、左側に画像５１が、右側に画像５２が表示され、ＯＳＤ処理によって調整用画像５３が表示される。この表示を用いた場合でも、利用者は、同様に画像の調整を容易に行うことができる。図４の場合には、画像４１、４２は表示される画像の解像度は図３の画像３１よりも縮小された分だけ劣化するが、この場合には解像度の変動は全くない。従って、解像度を等しく保ったままで調整を行うことができる。また、特に画像５１と５２との境界（図４中の左右の中心線）付近での比較をすることが特に容易である。なお、この際に、画像５１の水平方向の長さと画像５２の水平方向の長さの比を任意とすることができ、図４の場合では１：１であるものを、例えば１：２等とすることにより、より比較がしやすい形態とすることができる。
【００２７】
また、比較するどちらの画像の全体も見たい場合には、図６のように、画像６１と画像６２を、共に図３の画像を等倍縮小した画像として形成し、調整用画像６３と同時に表示させることができる。この場合の画像６１、６２の解像度は劣化するものの、画像全体での比較ができる。この際、縦横の比率は縮小比率は同一とする。画像信号が解像度７２０×４８０のＮＴＳＣ規格に準拠したものであれば、画像６１、６２の解像度は、画像のアスペクト比が４：３の場合には７２０×４８０、１６：９の場合には８５３×４８０として、前記の１９２０×１０８０の画面に表示することができる。ＰＡＬ規格に準拠したものであれば、画像のアスペクト比が４：３の場合には７６８×５７６、１６：９の場合には９６３×５７６として左右をカットした形態とすれば、有効表示ライン数を維持した状態として比較することができる。この場合には、最終的に表示される画像における画素数が同一の状態での比較ができるため、より適正な調整をすることができる。なお、この場合には、各画像処理エンジンが出力する画像は図２の形態とは異なり、画像処理エンジン（Ａ−ｃｈ）１６には図６の画像における調整用画像６３を除く左半分の画像だけを取り出して右半分をブランクとした画像を出力させ、画像処理エンジン（Ｂ−ｃｈ）１７には同じく右半分の画像だけを取り出して左半分をブランクとした画像を出力させる。
【００２８】
一方、画像を縦方向又は横方向の倍率を変えた場合、その画質が異なって見える場合があるため、倍率を変えずに、元の画像（図３）の一部分だけを切り出して、同様の操作を行うこともできる。図７はこの場合に表示される画像の一例である。ここでは、画像７１と画像７２は、共に元の画像の倍率を変えずにその一部である同じ箇所を切り出した画像であり、同様に調整用画像７３が表示されている。
【００２９】
また、特に画像の中に特に着目すべき部分があれば、この部分を拡大した画像を図７と同様に表示させることもできる。この例を図８に示す。ここで、図８（ａ）は図４（ａ）の画像４１、４２に対応する画像であり、その中で破線で囲まれた領域が、図３の画像における着目すべき部分である。この部分を拡大してかつＦＰＤ２２の表示画面に収まるように加工された画像が、図８（ｂ）に示されるようにパンスキャンされて画像８１、８２として調整用画像８３と共に表示される。この場合には、この着目する部分についての比較が特に容易に行われる。
【００３０】
なお、調整用画像の表示に際しては、これを半透明とすることによって、上記の比較をより容易に行うことができる。例えば、図９に示されるように、画像９１、９２上に半透明の調整用画像９３をＯＳＤ表示することもできる。
【００３１】
また、上記の例では、いずれも、左側の画像と右側の画像とを並べて表示させている、いわゆるＰＡＰ（Ｐｉｃｔｕｒｅ  Ａｎｄ  Ｐｉｃｔｕｒｅ）表示を用いていたが、これに限られるものではない。例えば、一方の画面をフルスクリーン表示させ、他方の画像をこれよりも小さくして一部に表示するＰＩＰ（Ｐｉｃｔｕｒｅ  Ｉｎ  Ｐｉｃｔｕｒｅ）表示を用いることもできる。
【００３２】
また、図４〜９の場合には、左側の画像には調整パラメータが初期値に設定された画像を、右側に調整パラメータの変更後の画像が表示されたが、これに限られるものではなく、左側の画像用の調整用画像と右側の画像用の調整用画像を表示させ、左右両側の画面で独立にその調整を行うこともできる。その場合には、例えばリモコン送信機に切替スイッチを設けることによって、利用者がどちらの画像に対して設定を行うかの選択をした上で、調整パラメータの値を、リモコン送信機上の操作キーを用いて設定することができる。
【００３３】
また、上記の例では、いずれも左右に表示される画像は図３に示される同一の画像であった。しかしながら、左右で異なる画像を元にした表示、例えば動画像における異なる時刻に対応した画像をそれぞれ表示させることもできる。図１０は、左側の画像１０１と右側の画像１０２の画像の元となる画像を異なるものとした場合の表示例である。これは、メモリ（Ａ−ｃｈ）１８とメモリ（Ｂ−ｃｈ）１９が入力マルチプレクサ１５から出力された動画像の画像信号を記憶しており、画像処理エンジン（Ａ−ｃｈ）１６と画像処理エンジン（Ｂ−ｃｈ）１７とがこの動画像における異なる時刻の画像を表示している場合に対応する。この場合、前記の場合とは異なり、画像処理エンジン（Ａ−ｃｈ）１６と画像処理エンジン（Ｂ−ｃｈ）１７の両方で、調整用画像９３の表示に対応する調整パラメータに応じた画像を出力することができる。例えば、動画像中で背景が最も明るい画像となっている箇所を画像１０１として表示させ、同じ動画像中で背景が最も暗い画像となっている箇所を画像１０２として表示させる。この場合、この２つの画像で調整パラメータが最適化できれば、背景がこの２つの画像の中間となる他の場面においても、良好な画質が得られる。この画像表示装置１０においては、メモリと画像処理エンジンとの組み合わせを複数有しているために、こうした処理が特に容易に行われる。こうした動作は、特にＤＶＤ等の再生画面を表示させる場合、すなわち、図１において、ＤＶＤ再生機等の映像再生装置から入力される画像信号を用いる場合に好適である。従ってメモリ（Ａ−ｃｈ）１８、メモリ（Ｂ−ｃｈ）１９が長時間の画像を記憶できることが好ましく、このためにはこれらの容量は大きいことが好ましい。
【００３４】
また、前記と同様に、一方の画像だけを動画とし、他方の画像を静止画像とすることもできる。また、上記の調整を利用者がより行いやすくするために、各種のインターフェースを図１の構成に加えて設け、各処理毎のメニュー画面をＯＳＤ描画ブロック２１に作成させ、前記の調整用画像の代わりに、あるいはこれと同時に表示させてもよい。
【００３５】
この調整モードにおいては、左側の画像（８１等）と右側の画像（８２等）の大きさや元の画像（図３）における位置等を自由に設定することができる。これは、図２（ａ）に示される画像２０１の位置及び大きさ、図２（ｂ）に示される画像２０３の位置及び大きさ、あるいは、画像２０１、２０３の元の画像（図３）中の範囲を利用者が自由に設定できる構成とすることにより実現される。
【００３６】
利用者によるこの操作は、リモコン送信機の操作キーによって行うことができる構成が好ましい。このため、例えば図１１にその外観を示すリモコン送信機１５０を用いることができる。このリモコン送信機１５０においては、多数の操作キーが用いられており、電源キー１５１の他に、倍率変更（ＭＡＧＮＩＦＹ）キー部１５２、ポインターキー１５３、ポインター移動キー部１５４、リサイズキー１５５等が用いられている。倍率変更キー部１５２には、＋キー１５２１と−キー１５２２があり、ポインター移動キー部１５４には、左側キー１５４１、右側キー１５４２、上側キー１５４３、下側キー１５４４、決定（ＥＮＴＥＲ）キー１５４５がある。また、画面構成を変える操作を行うための画面変更キー１５６が設けられている。このリモコン送信機１５０は、これらの操作キーの操作に応じた信号を発信し、リモコン受信部２７はこの信号を受信して制御部２５は画像処理エンジン（Ａ−ｃｈ）１６及び画像処理エンジン（Ｂ−ｃｈ）１７にこれに応じた画像の変更を行わせる。
【００３７】
例えば、画像８１、８２の倍率を変える場合には、＋キー１５２１又は−キー１５２２を操作することによって所望の倍率とすることができる。また、ポインターキー１５３を押すことによって表示中の画像においてポインターを表示させ、例えばその位置を左側キー１５４１等を用いて利用者に移動させて決定キー１５４５を用いて図８（ａ）の拡大箇所に対応する４つの頂点を指定させてこの箇所を指定させることができる。また、リサイズキー１５５を操作することによって、倍率を標準に戻すことができる。
【００３８】
画面の構成として、図４〜１０のどの設定とするかは、例えば画面変更キー１５６の操作によって図１２に示すようなメニュー画面をＯＳＤ描画ブロック２１に作成させ、この中から所望の画面構成を上側キー１５４３等を用いて利用者が設定することができる。図１２において、例えば「Ｒｉｇｈｔ」が選択された場合、画像処理エンジン（Ｂ−ｃｈ）１７における調整パラメータが利用者によって設定される画面となり、右側に調整後の画像が表示される。「Ｌｅｆｔ」が選択された場合にはこの逆に左側に調整後の画像が表示される。こうした処理を、画像において着目すべき箇所が右側、左側のどちらにあるかに応じて自由に設定することができる。
【００３９】
「Ｓｈｒｉｎｋ」が選択された場合には、図６に示されたように、画面全体が縮小されて表示される。「Ｎａｔｉｖｅ  Ｒｅｓｏ」が選択された場合には、元の画像の解像度が保たれた状態で表示される。この選択は、画像の調整を画像の一部に着目して行うか、全体に着目して行うかに応じて自由に設定することができる。
【００４０】
また、「１：２（Ｒｉｇｈｔ）」が選択された場合には、図５における左側の画像と右側の画像の水平方向の長さの比を１：２として、利用者が特に画像の右側に注目することができる構成とすることができる。「２：１（Ｌｅｆｔ）」が選択された場合にはこの逆の構成とすることができる。これも、画像における着目すべき箇所に応じて自由に設定することができる。
【００４１】
また、この画像表示装置１０においては、２つの独立した画像処理エンジンが用いられているため、上記以外の場合でも、各画像を任意の形、大きさにすることができる。
【００４２】
従って、この画像表示装置１０においては、図１３に示すフローチャートで画像が調整、表示される。ここでは、調整モードに設定された（Ｓ１１）後において、独立した画像処理エンジン（Ａ−ｃｈ）１６と画像処理エンジン（Ｂ−ｃｈ）１７から出力された画像が図４〜１０の形態で表示される（表示工程：Ｓ１２）。この際、どちらの画像処理エンジンにおいても調整パラメータの値は初期値となっている。利用者は、これらの画像及び調整用画像を見て、画像の調整処理を行い、画像処理エンジン（Ｂ−ｃｈ）１７はこの調整後の画像を出力し、調整パラメータが初期値のままである画像処理エンジン（Ａ−ｃｈ）１６から出力された画像と共に再表示する（調整工程：Ｓ１３）。この調整パラメータの値で所望の画像が得られれば、通常モードに設定され、この調整パラメータの値で処理がなされた画像がフルスクリーンで表示される（Ｓ１４）。すなわち、この画像表示装置１０においては、この表示工程と調整工程とからなる画像調整方法が実行される。
【００４３】
このうち、表示工程から調整工程における動作を示すフローチャートが図１４である。まず、表示工程において、ＦＰＤ２２の表示はマルチ画面（２画面）表示となり（Ｓ１０１）、これに調整用画像もＯＳＤ表示されて（Ｓ１０２）、例えば図４（ａ）に示される画像となる。ただし、この段階では画像４１と４２において用いられる調整パラメータはどちらも初期値であり、同一の画像となる。
【００４４】
その後、調整工程となる。この調整工程においては、利用者は、この２つの画像を見て、前記の調整処理を行う（Ｓ１０３）。この処理は、例えば調整用画像４３中のどのパラメータ（例えば輝度、コントラスト等）を調整するかを上側キー１５４３、下側キー１５４４を用いて選択し、左側キー１５４１、右側キー１５４２を操作することによって選択されたパラメータの値を設定し、最後に決定キー１５４５を操作することによってなされる。画像処理エンジン（Ｂ−ｃｈ）１７はこれに応じた補正後の画像４２を含んだ画像を図２のように出力する。補正された画像４２と補正前の画像である４１が改めて表示される（Ｓ１０１）。
【００４５】
その後、利用者は、これらの画像を対比する。その際に、これらの画像を拡大して対比することを利用者が望む場合（Ｓ１０４：ＹＥＳ）には、利用者は、リモコン送信機１５０の ＋キー１５２１又は−キー１５２２を操作する。画像処理エンジン（Ａ−ｃｈ）１６と画像処理エンジン（Ｂ−ｃｈ）１７は、これらの画像を拡大して元の画面に収まらない領域をカットした画像を表示させる（パンスキャン処理：Ｓ１０５）。この操作は、拡大率が所望の値になるまで繰り返される（Ｓ１０６：ＹＥＳ）。所望の値となった場合には、その値で調整された画像８２が補正前の画像８１と共に例えば図８のように再表示される（Ｓ１０１）。
【００４６】
また、逆に画像を拡大しすぎると利用者が感じた場合には、利用者はリモコン送信機１５０のリサイズキー１５５が操作される（Ｓ１０７：ＹＥＳ）ことによって、画像処理エンジン（Ａ−ｃｈ）１６と画像処理エンジン（Ｂ−ｃｈ）１７によって、元の拡大倍率の画像である４１、４２が出力され（Ｓ１０８）、表示される（Ｓ１０１）。
【００４７】
以上の処理により、例えば全体の画像６１、６２が表示されたら、利用者は、これらの画像の対比をよりしやすい形態に画面構成を変えることができる（Ｓ１０９：ＹＥＳ）。この操作は、例えば利用者が画像６１にポインターを表示させて、これをポインター移動キー部１５４のいずれかの操作キーを用いて移動させることによって、画像６１を所望の位置に移動させることができる。これは、この操作によって設定されたＰＡＰパラメータを制御部２５が得て、これを元に画像処理エンジン（Ａ−ｃｈ）１６が画像６１の表示位置を変更することによってなされる（Ｓ１１０）。その後、再表示がなされる（Ｓ１０１）。
【００４８】
また、図１２に示されたメニュー上における画面の設定自体の変更を行う場合（Ｓ１１１：ＹＥＳ）には、画面変更キー１５６の操作によって、図１２のメニューをＯＳＤ描画ブロック２１が作成し、表示させる（Ｓ１１２）。ここで、メニュー上の設定が変更され（Ｓ１１３：ＹＥＳ）、利用者がパラメータの自動調整を選択した場合、その設定に応じたデフォールトのパラメータを制御部２５がメモリ（制御用）２６から読み出し（Ｓ１１４：ＹＥＳ）、パラメータをこの値に設定した（Ｓ１１０）上で、再表示がなされる（Ｓ１０１）。なお、パラメータの自動調整の選択（Ｓ１１４）の指示は、例えばＯＳＤ表示によって画面上に表示することができ、利用者はポインター移動キー部１５４中の操作キーを用いてこれに回答することができる。以降に説明する設定の指示においても同様である。
【００４９】
メニュー上の設定が変更されない（Ｓ１１３：ＮＯ）場合、一方の画像を静止画像とするか否かの設定の指示を画面上に表示させる（Ｓ１１５）。利用者がこれを希望する設定を行った場合には、画像処理エンジン（Ａ−ｃｈ）１６及び／又は画像処理エンジン（Ｂ−ｃｈ）１７の出力する画像を静止画像とする（Ｓ１１６）。
【００５０】
その後、調整終了か否かの指示を画面に表示させ（Ｓ１１７）、終了の設定があれば（Ｓ１１７：ＹＥＳ）、各パラメータをメモリ（制御用）２６に記憶させ（Ｓ１１８）、調整モードが終了となる。終了の設定がない場合（Ｓ１１７）には、再び調整が開始できる状態となる（Ｓ１０２）。また、パラメータの自動調整を選択しなかった場合（Ｓ１１４：ＮＯ）においても、調整終了か否かの選択（Ｓ１１７）がなされる。
【００５１】
以上に述べた調整工程において、利用者が調整前後の画像を所望の状態で比較を行い、適正に調整パラメータを設定することができる。これにより、調整モードが終了する。
【００５２】
調整モードの終了により、この画像表示装置は通常モードに移行し、上記の操作によって設定された調整パラメータの値で画像処理エンジン（Ａ−ｃｈ）１６又は画像処理エンジン（Ｂ−ｃｈ）１７からの出力をフルスクリーンで図４（ｂ）に示されるようにＦＰＤ２２で表示する。これによって、利用者は、所望の画質となった動画像をフルスクリーンで見ることができる。
【００５３】
上記の動作においては、この画像表示装置１０は、独立した２つの画像処理エンジンを用いているため、２つの画像を利用者が比較しやすい任意の形態で比較することができる。
【００５４】
特に、調整の対象となる画像処理として、Ｉ／Ｐ変換、ＤＮＲ処理、ＭＮＲ処理、ＢＭＲ処理、３次元ＹＣ分離処理等においては、動画像のデータが用いられるため、動画像としての比較が必要である。こうした場合でも、これらの調整をこの画像表示装置１０においては容易に行うことができる。
【００５５】
なお、上記の例では、画像処理エンジン（Ａ−ｃｈ）１６と画像処理エンジン（Ｂ−ｃｈ）１７の両方が共に動画像の調整機能をもっていたが、例えば画像処理エンジン（Ｂ−ｃｈ）１７のみがこの機能をもっている場合でも同様の動作を行うことができる。
【００５６】
また、上記の例では、独立した２つの画像処理エンジンが用いられていたが、この数が３つ以上であり、これに応じて３つ以上の画像を同時に表示させる場合でも、同様の効果を奏することは明らかである。この場合、調整パラメータの値を複数種類として、これに応じた動画像を同時に表示することもできる。この際、調整用画像もこの数に応じて表示させることができる。
【図面の簡単な説明】
【００５７】
【図１】本発明の実施の形態となる画像表示装置の構成を示す図である。
【図２】本発明の実施の形態となる画像表示装置における画像処理エンジンから出力される画像の構成を示す図である。
【図３】表示される画像の一例である。
【図４】調整モードにおける表示画面の一例である。
【図５】調整モードにおける表示画面の他の一例である。
【図６】調整モードにおける表示画面の他の一例である。
【図７】調整モードにおける表示画面の他の一例である。
【図８】調整モードにおける表示画面の他の一例である。
【図９】調整モードにおける表示画面の他の一例である。
【図１０】調整モードにおける表示画面の他の一例である。
【図１１】本発明の実施の形態となる画像表示装置において用いられるリモコン送信機の構成の一例である。
【図１２】本発明の実施の形態となる画像表示装置におけるメニュー画面の一例である。
【図１３】本発明の実施の形態となる画像表示装置の動作を示すフローチャートである。
【図１４】本発明の実施の形態となる画像調整方法における動作を示すフローチャートである。
【符号の説明】
【００５８】
１０  画像表示装置
１１  画像信号用Ａ／Ｄコンバータ
１２  ＨＤＭＩ／ＤＶＩ信号用レシーバ
１３  ビデオ信号デコーダ
１４  チューナ
１５  入力マルチプレクサ
１６  画像処理エンジン（Ａ−ｃｈ）
１７  画像処理エンジン（Ｂ−ｃｈ）
１８  メモリ（Ａ−ｃｈ）
１９  メモリ（Ｂ−ｃｈ）
２０  オーバーレイ装置（オーバーレイ部）
２１  ＯＳＤ描画ブロック
２２  ＦＰＤ
２３  出力フォーマッタ
２４  パネルドライバ
２５  制御部
２６  メモリ（制御用）
２７  リモコン受信部 
４１、４２、５１、５２、６１、６２、７１、７２、８１、８２、９１、９２、１０１、１０２  画像
４３、５３、６３、７３、８３、９３、１０３  調整用画像 
１５０  リモコン送信機
１５１  電源キー
１５２  倍率変更（ＭＡＧＮＩＦＹ）キー部
１５３  ポインターキー
１５４  ポインター移動キー部
１５５  リサイズキー
１５６  画面変更キー
１５２１  ＋キー
１５２２  −キー
１５４１  左側キー
１５４２  右側キー
１５４３  上側キー
１５４４  下側キー
１５４５  決定（ＥＮＴＥＲ）キー
【図１】
2010124309.tif 000003
【図２】
2010124309.tif 000004
【図１３】
2010124309.tif 000005
【図１４】
2010124309.tif 000006
【図３】
2010124309.tif 000007
【図４】
2010124309.tif 000008
【図５】
2010124309.tif 000009
【図６】
2010124309.tif 000010
【図７】
2010124309.tif 000011
【図８】
2010124309.tif 000012
【図９】
2010124309.tif 000013
【図１０】
2010124309.tif 000014
【図１１】
2010124309.tif 000015
【図１２】
2010124309.tif 000016